(57)【要約】【課題】パイプ型ミスト噴霧装置の水供給パイプに簡単に取り付けることができ、水供給パイプに設置したノズルから噴霧するミストに光りを照射して、そのミストをライトアップすることにより、パイプ型ミスト噴霧装置の使用感に頼りなさを感じさせることがなく、演出効果を発揮させることができるものとし、パイプ型ミスト噴霧装置を多様性に富んだものにする照明器具を提供する。【解決手段】本体１の中心部に、パイプ型ミスト噴霧装置の水供給パイプＰに設置されたノズルＮを前方に向けて貫通する貫通孔２を形成し、この貫通孔２を包囲するようにして前記本体１に、前記ノズルＮから噴霧されるミストに光りを照射して、そのミストをライトアップする発光ダイオード３を複数個備え、さらに前記本体１に、前記水供給パイプＰに弾性挟持可能としたホルダー４を備えたものとしている。【選択図】図３
2014175072.tif 000002
【特許請求の範囲】
【請求項１】
本体（１）の中心部に、パイプ型ミスト噴霧装置の水供給パイプ（Ｐ）に設置されたノズル（Ｎ）を前方に向けて貫通する貫通孔（２）を形成し、この貫通孔（２）を包囲するようにして前記本体（１）に、前記ノズル（Ｎ）から噴霧されるミストに光りを照射して、そのミストをライトアップする発光ダイオード（３）を複数個備え、さらに前記本体（１）に、前記水供給パイプ（Ｐ）に弾性挟持可能としたホルダー（４）を備えたことを特徴とするパイプ型ミスト噴霧装置用の照明器具。
【請求項２】
前記本体（１）が、底部体（５）、電子回路基板（６）、透光板（７）、透光板外押え体（８）、透光板内押え体（９）からなり、前記底部体（５）は、有底の偏平筒状体としており、底板（５ａ）の中心部には通孔（１１）が形成され、この通孔（１１）の周囲には中心筒（１２）が突設され、さらに底部体（５）の外周には段周部（１３）を設けたものとし、前記電子回路基板（６）は、円板状体としており、中心部には通孔（１６）が形成され、表面には適宜間隔をおいて前記発光ダイオ−ド（３）が複数個設けられており、前記ホルダー（４）は、前記底部体（５）の底板５ａに止着される止着体（２１）と、この止着体（２１）の両端から突出した一対の弾性挟持体（２２、２２）を有したものとしており、前記底部体（５）の中心筒（１２）を包囲するように、この底部体（５）の底板（５ａ）に前記電子回路基板（６）を設置し、前記底部体（５）の開口を塞ぐようにして前記透光板（７）を被せ、前記底部体（５）の段周部（１３）の外周面に形成したネジ山（１５）を、前記透光板外押え体（８）の環状体（８ａ）の内周面に形成したネジ溝（１９）に捩じ込み、この透光板外押え体（８）の内周フランジ部（８ｂ）で前記透光板（７）を押し付け、前記透光板内押え体（９）の環状体（９ａ）の外周面に形成したネジ山（２０）を、前記底部体（５）の中心筒（１２）の内周面に形成したネジ溝（１４）に捩じ込み、前記透光板内押え体（９）の外周フランジ部（９ｂ）で前記透光板（７）を押し付けたものとしたことを特徴とする請求項１記載のパイプ型ミスト噴霧装置用の照明器具。
【請求項３】
前記弾性挟持体（２２）は、水供給パイプ（Ｐ）に当接するように円弧状に屈曲させた挟持部（２２ａ）の先端に、この挟持部（２２ａ）の開放端部（２２ｂ）を形成したことを特徴とする請求項２記載のパイプ型ミスト噴霧装置用の照明器具。
【請求項４】
前記パイプ型ミスト噴霧装置の水供給パイプ（Ｐ）に設置されたノズル（Ｎ）を、前記本体（１）の貫通孔（２）となる底部体（５）の通孔（７）、電子回路基板（６）の通孔（１２）、透光板（７）の通孔（１８）に通して行き、前記透光板内押え体（９）の環状体（９ａ）の中心部から、前記ノズル（Ｎ）の先端部を突出させるのと同時に、前記ホルダー（４）の一対の弾性挟持体（２２、２２）の開放端部（２２ｂ、２２ｂ）を水供給パイプ（Ｐ）に向けて押し込むことにより、前記パイプ型ミスト噴霧装置の水供給パイプ（Ｐ）に抜け止め状態で取り付けたことを特徴とする請求項３記載のパイプ型ミスト噴霧装置用の照明器具。
【請求項５】
前記底部体（５）の段周部（１３）にＯ−リング（Ｌ）を嵌め込み、前記透光板外押え体（８）の環状体（８ａ）を前記Ｏ−リング（Ｌ）に圧接させるようにすると共に、前記透光板内押え体（９）の外周フランジ部（９ｂ）と前記透光板（７）の間にＯ−リングを介在させたことを特徴とする請求項２記載のパイプ型ミスト噴霧装置用の照明器具。
【発明の詳細な説明】
【技術分野】
【０００１】
本発明は、パイプ型ミスト噴霧装置の水供給パイプに設置したノズルから噴霧するミストに光りを照射して、そのミストをライトアップする照明器具に関するものである。
【背景技術】
【０００２】
従来、この種のパイプ型ミスト噴霧装置としては、例えば図６に示すようなものが存在する。このパイプ型ミスト噴霧装置は、一直線状の水供給パイプＰに適宜間隔をおいて、複数個のノズルＮを設置している。
【０００３】
前記水供給パイプＰは、一端には水ホースＨが接続され、他端は閉鎖されている。そして、この水ホースＨに、コンプレッサーＣｏで圧縮された水を供給し、この圧縮された水を前記水供給パイプＰの複数個のノズルＮからミストとして噴霧するようにしている。
【０００４】
このようなパイプ型ミスト噴霧装置では、前記水供給パイプ５を、建築工事現場、屋外のイベント会場、公園などの建物と建物の間に掛け渡したり、建物の軒先に添わせて取り付けたりして、これら建築工事現場、屋外のイベント会場、公園などにおける大空間内にミストを広い範囲にわたって大量に拡散させることができるようにしている。
【先行技術文献】
【特許文献】
【０００５】
【非特許文献１】ＮＫミスト  パイプ型（日本機電株式会社）、〔平成２５年２月２８日検索〕、インターネット＜http://www.n-kiden.co.jp/mist/pipe.html ＞
【発明の概要】
【発明が解決しようとする課題】
【０００６】
上記従来のパイプ型ミスト噴霧装置は、建築工事現場、屋外のイベント会場、公園などにおける大空間内にミストを広い範囲にわたって大量に拡散させることができるようにして、大空間における砂埃の舞い上がりを防止したり、大空間の特定の場所を効果的に冷房することができるものとなっている。
【０００７】
しかしながら、上記従来のパイプ型ミスト噴霧装置では、噴霧させたミストを目視することが困難であり、ミストの噴霧状態が視覚で確認することができないため、実際に多量のミストが噴霧されていても使用感に頼りなさを感じるという課題を有していた。
【０００８】
さらに、上記従来のパイプ型ミスト噴霧装置では、屋外のイベント会場、公園などにおいて噴霧させたミストをライトアップして、演出効果等を発揮させることは考えられておらず、多様性に乏しいという課題を有していた。
【０００９】
そこで、本発明は、上記従来の問題点を解決することを目的としており、パイプ型ミスト噴霧装置の水供給パイプに簡単に取り付けることができ、水供給パイプに設置したノズルから噴霧するミストに光りを照射して、そのミストをライトアップすることにより、パイプ型ミスト噴霧装置の使用感に頼りなさを感じさせることがなく、演出効果等を発揮できるものとし、パイプ型ミスト噴霧装置を多様性に富んだものにする照明器具を提供することを目的としてなされたものである。
【課題を解決するための手段】
【００１０】
そのため、本発明の照明器具は、本体１の中心部に、パイプ型ミスト噴霧装置の水供給パイプＰに設置されたノズルＮを前方に向けて貫通する貫通孔２を形成し、この貫通孔２を包囲するようにして前記本体１に、前記ノズルＮから噴霧されるミストに光りを照射して、そのミストをライトアップする発光ダイオード３を複数個備え、さらに前記本体１に、前記水供給パイプＰに弾性挟持可能としたホルダー４を備えたものとしている。
【００１１】
そして、本発明の照明器具は、前記本体１が、底部体５、電子回路基板６、透光板７、透光板外押え体８、透光板内押え体９からなり、前記底部体５は、有底の偏平筒状体としており、底板５ａの中心部には通孔１１が形成され、この通孔１１の周囲には中心筒１２が突設され、さらに底部体５の外周には段周部１３を設けたものとし、前記電子回路基板６は、円板状体としており、中心部には通孔１６が形成され、表面には適宜間隔をおいて前記発光ダイオ−ド３が複数個設けられており、前記ホルダー４は、前記底部体５の底板５ａに止着される止着体２１と、この止着体２１の両端から突出した一対の弾性挟持体２２、２２を有したものとしており、前記底部体５の中心筒１２を包囲するように、この底部体５の底板５ａに前記電子回路基板６を設置し、前記底部体５の開口を塞ぐようにして前記透光板７を被せ、前記底部体５の段周部１３の外周面に形成したネジ山１５を、前記透光板外押え体８の環状体８ａの内周面に形成したネジ溝１９に捩じ込み、この透光板外押え体８の内周フランジ部８ｂで前記透光板７を押し付け、前記透光板内押え体９の環状体９ａの外周面に形成したネジ山２０を、前記底部体５の中心筒１２の内周面に形成したネジ溝１４に捩じ込み、前記透光板内押え体９の外周フランジ部９ｂで前記透光板７を押し付けたものとしている。
【００１２】
さらに、本発明の照明器具において、前記弾性挟持体２２は、水供給パイプＰに当接するように円弧状に屈曲させた挟持部２２ａの先端に、この挟持部２２ａの開放端部２２ｂを形成したものとしている。
【００１３】
そして、本発明の照明器具は、前記パイプ型ミスト噴霧装置の水供給パイプＰに設置されたノズルＮを、前記本体１の貫通孔２となる底部体５の通孔７、電子回路基板６の通孔１２、透光板７の通孔１８に通して行き、前記透光板内押え体９の環状体９ａの中心部から、前記ノズルＮの先端部を突出させるのと同時に、前記ホルダー４の一対の弾性挟持体２２、２２の開放端部２２ｂ、２２ｂを水供給パイプＰに向けて押し込むことにより、前記パイプ型ミスト噴霧装置の水供給パイプＰに抜け止め状態で取り付けたものとしている。
【００１４】
また、本発明の照明器具において、前記底部体５の段周部１３にＯ−リングＬを嵌め込み、前記透光板外押え体８の環状体８ａを前記Ｏ−リングＬに圧接させるようにすると共に、前記透光板内押え体９の外周フランジ部９ｂと前記透光板７の間にＯ−リングを介在させたものとしている。
【発明の効果】
【００１５】
本発明は、以上に述べたような構成としているので、パイプ型ミスト噴霧装置の水供給パイプに簡単に取り付けることができ、水供給パイプに設置したノズルから噴霧するミストに光りを照射して、そのミストをライトアップすることにより、建築工事現場などにおいて、そのパイプ型ミスト噴霧装置の使用感に頼りなさを感じさせることがなく、屋外のイベント会場、公園などにおいて、演出効果等を発揮させることができるものとなり、パイプ型ミスト噴霧装置を多様性に富んだものにすることができるものとなった。
【図面の簡単な説明】
【００１６】
【図１】本発明の照明器具を正面側から見た状態を示す斜視図である。
【図２】本発明の照明器具を背面側から見た状態を示す斜視図である。
【図３】本発明の照明器具の分解斜視図である。
【図４】本発明の照明器具を取り付けるパイプ型ミスト噴霧装置の水供給パイプと、この水供給パイプに設置した複数個のノズルを示す斜視図である。
【図５】図４に示すパイプ型ミスト噴霧装置の水供給パイプに、本発明の照明器具を取り付けた状態を示す斜視図である。
【図６】従来のパイプ型ミスト噴霧装置の全体図である。
【発明を実施するための形態】
【００１７】
以下、本発明のパイプ型ミスト噴霧装置用の照明器具を実施するための形態を、図面に基づいて詳細に説明する。
【００１８】
本発明の照明器具は、図１〜３に示したように、本体１の中心部に、パイプ型ミスト噴霧装置の水供給パイプＰに突設されたノズルＮを前方に向けて貫通する貫通孔２を形成し、この貫通孔２を包囲するようにして前記本体１に、前記ノズルＮから噴霧されるミストに光りを照射して、そのミストをライトアップする発光ダイオード３を複数個備え、さらに前記本体１に、前記水供給パイプＰに弾性挟持可能としたホルダー４を備えたものとしている。
【００１９】
本体１は、底部体５、電子回路基板６、透光板７、透光板外押え体８、透光板内押え体９からなるものとしている。
【００２０】
底部体５は、アルミ合金などの軽金属や、硬質の合成樹脂などからなり、有底の偏平筒状体としており、底板５ａの中心部には通孔１１が形成され、この通孔１１の周囲には中心筒１２が突設されている。さらに、前記底部体５は、上半部の外周に段周部１３を設け、中心筒１２の内周面にはネジ溝１４が形成されており、前記底部体５の段周部１３の外周面にはネジ山１５が形成されている。
【００２１】
電子回路基板６は、合成樹脂などの電気絶縁体からなり、円板状体としており、中心部には通孔１６が形成され、表面には適宜間隔をおいて前記発光ダイオ−ド３が複数個、設けられており、裏面から前記発光ダイオ−ド３に電気接続するように電線１７が配線されている。
【００２２】
透光板７は、合成樹脂板や硬質ガラス板などからなり、透明の円板状体としており、中心部には通孔１８が形成されている。
【００２３】
透光板外押え体８は、アルミ合金などの軽金属や、硬質の合成樹脂などからなり、環状体８ａの内側に内周フランジ部８ｂを形成しており、この環状体８ａの内周面にはネジ溝１９が形成されている。
【００２４】
透光板内押え体９は、アルミ合金などの軽金属や、硬質の合成樹脂などからなり、環状体９ａの外側に外周フランジ部９ｂを形成しており、この環状体９ａの外周面にはネジ山２０が形成されている。
【００２５】
ホルダー４は、合成樹脂板や金属板などからなり、前記底部体５の底板５ａにねじ止めするなどして止着される止着体２１と、この止着体２１の両端から突出した一対の弾性挟持体２２、２２を有しており、これら一対の弾性挟持体２２、２２で、パイプ型ミスト噴霧装置の水供給パイプＰに挟み込むことにより、この水供給パイプＰに着脱自在に取り付けられるようにしている。前記弾性挟持体２２は、水供給パイプＰに当接するように円弧状に屈曲させた挟持部２２ａの先端に、この挟持部２２ａの開放端部２２ｂを形成したものとしている。なお、前記ホルダー４は、前記底部体５の底板５ａに形成した通孔７を間において、この底板５ａの二個所に止着したものとしているが、この底板５ａの一個所に止着したものとしてもよい。
【００２６】
以上のような各構成部材からなる本発明の照明器具は、次のように構成されている。
【００２７】
本発明の照明器具は、前記底部体５の中心筒１２を包囲するように、この底部体５の底板５ａに前記電子回路基板６をネジ止めするなどして設置し、前記底部体５の開口を塞ぐようにして前記透光板７を被せる。なお、前記電子回路基板６に配線された電線１７は、底部体５の底板５ａに形成された小孔（図示せず）から本体１の外部に引き出されている。
【００２８】
そして、前記底部体５の段周部１３にＯ−リングＬを嵌め込み、この底部体５の段周部１３の外周面に形成されたネジ山１５を、前記透光板外押え体８の環状体８ａの内周面に形成したネジ溝１９に捩じ込み、透光板外押え体８の内周フランジ部８ｂで前記透光板７を押し付けると共に、この透光板外押え体８の環状体８ａを前記Ｏ−リングＬに圧接させる。
【００２９】
さらに、前記透光板内押え体９の環状体９ａの外周面に形成したネジ山２０を、前記底部体５の中心筒１２の内周面に形成したネジ溝１４に捩じ込み、前記透光板内押え体９の外周フランジ部９ｂで前記透光板７を押し付けている。なお、前記透光板内押え体９の外周フランジ部９ｂと前記透光板７の間には、Ｏ−リング（図示せず）を介在させたものとしておくこともできる。
【００３０】
次に、本発明の照明器具を取り付けるパイプ型ミスト噴霧装置の水供給パイプＰは、図４に示すように、複数のパイプＰａを複数の管継手Ｃで連結して一直線状にしており、それぞれの管継手Ｃの一端部にノズルＮを取り付けることにより、前記水供給パイプＰに適宜間隔をおいて、複数個のノズルＮを設置している。
【００３１】
前記水供給パイプＰは、一端には水ホースＨが接続され、他端は閉鎖されている。そして、この水ホースＨに、コンプレッサー（図示せず）で圧縮された水を供給し、この圧縮された水を前記水供給パイプＰの複数個のノズルＮからミストとして噴霧するようにしている。
【００３２】
そこで、本発明の照明器具は、前記パイプ型ミスト噴霧装置の水供給パイプＰに、次のようにして取り付けられる。
【００３３】
先ず、パイプ型ミスト噴霧装置の水供給パイプＰに設置されたノズルＮを、本体１の貫通孔２となる底部体５の通孔７、電子回路基板６の通孔１２、透光板７の通孔１８に通して行き、透光板内押え体９の環状体９ａの中心部から、前記ノズルＮの先端部を突出させる。
【００３４】
前記ノズルＮの先端部を、透光板内押え体９の環状体９ａの中心部から突出させるのと同時に、前記ホルダー４の一対の弾性挟持体２２、２２の開放端部２２ｂ、２２ｂを水供給パイプＰに向けて押し込む。すると、一対の弾性挟持体２２、２２の挟持部２２ａ、２２ａが広げられ、挟持部２２ａ、２２ａが水供給パイプＰまで押し込まれると、前記弾性挟持体２２、２２が弾性復帰して、挟持部２２ａ、２２ａが水供給パイプＰを挟持するので、本発明の照明器具をパイプ型ミスト噴霧装置の水供給パイプＰに抜け止め状態で取り付けることができる。
【００３５】
このように本発明の照明器具は、パイプ型ミスト噴霧装置の水供給パイプＰに向かって押し込むだけで、その水供給パイプＰに簡単に取り付けることができるので、複数個のノズルＮが設置されている水供給パイプＰにも、本発明の照明器具の複数個を短時間で取り付けることができる。なお、前記ノズルＮから噴霧されるミストに光りを照射して、そのミストをライトアップする必要がない場合には、本発明の照明器具は、そのまま水供給パイプＰに取り付けておいてもよいが、水供給パイプＰから弾性挟持体２２、２２を引き抜けば、簡単に外すことができるので、水供給パイプＰから外した状態にしておいてもよい。
【００３６】
そして、本発明の照明器具が取り付けられたパイプ型ミスト噴霧装置の水供給パイプＰに設置された複数個のノズルＮからミストが噴霧されると、電子回路基板６に設けられた複数個の発光ダイオ−ド３が発光して、その噴霧されたミストの周囲から光りが照射され、そのミストがライトアップされるので、建築工事現場においては、そのミストの噴霧状態を確認することができ、パイプ型ミスト噴霧装置の使用感に頼りなさを感じさせることがなく、屋外のイベント会場、公園などにおいては、演出効果等を発揮させることができるものととなり、パイプ型ミスト噴霧装置を多様性に富んだものにすることができる。
【符号の説明】
【００３７】
１  本体
２  貫通孔
３  発光ダイオード
４  ホルダー
５  底部体
５ａ  底板
６  電子回路基板
７  透光板
８  透光板外押え体
８ａ  環状体
８ｂ  内周フランジ部
９  透光板内押え体
９ａ  環状体
９ｂ  外周フランジ部
１１  通孔
１２  中心筒
１３  段周部
１４  ネジ溝
１５  ネジ山
１６  通孔
１８  通孔
１９  ネジ溝
２０  ネジ山
２１  止着体
２２  弾性挟持体
２２ａ  挟持部
２２ｂ  開放端部
Ｐ  水供給パイプ
Ｎ  ノズル
【図１】
2014175072.tif 000003
【図２】
2014175072.tif 000004
【図３】
2014175072.tif 000005
【図４】
2014175072.tif 000006
【図５】
2014175072.tif 000007
【図６】
2014175072.tif 000008